(57)【要約】【課題】番組の音声だけをＣＤ‐ＲやＣＤ‐ＲＷに記録する構成がなかった。【解決手段】装置内部に挿入された光ディスクに対して情報を書き込み可能な光ディスク記録装置において、選局されている放送信号を記録することを指示する記録指示を受け付ける受付手段と、上記受付手段によって記録指示が受け付けられたときに、装置内部に挿入されている光ディスクの種類を判別する媒体種類判別手段と、上記媒体種類判別手段によって、情報の書き込み可能なＣＤ媒体が挿入されていると判別された場合には、上記放送信号の映像音声信号に含まれる音声信号のみを上記ＣＤ媒体に記録する書き込み手段とを備えるとした。【選択図】図２
2008117484.tif 000002
【特許請求の範囲】
【請求項１】
内部に挿入された光ディスクに対して情報を書き込み可能なドライブ回路を備える光ディスク記録装置において、
選局されているテレビジョン放送信号から抽出した映像音声信号を記録する記憶媒体と、
上記選局されているテレビジョン放送信号の記録を指示するための特定の操作ボタンと、
上記特定の操作ボタンに対する操作を検知し、当該検知の結果に応じて所定の処理を実行するマイコンと、
外部のディスプレイ装置に所定の画像データを出力することにより当該ディスプレイ装置にＯＳＤ表示をさせるＯＳＤ表示制御部とを備え、
上記マイコンは、
上記特定の操作ボタンの押し下げ動作を検知した場合に、ドライブ回路に挿入されている光ディスクの種類を判別し、
ＣＤ‐ＲまたはＣＤ‐ＲＷの何れかが挿入されていると判別した場合には、上記検知の時点よりも所定時間遡った時点から次に上記特定の操作ボタンの押し下げ動作を検知するまでの期間に対応して上記記憶媒体に記録される映像音声信号に含まれる音声信号のみを、所定の圧縮方式によって圧縮した上でドライブ回路に出力して光ディスクに記録させ、
ＤＶＤが挿入されていると判別した場合には、上記検知の時点よりも所定時間遡った時点から次に上記特定の操作ボタンの押し下げ動作を検知するまでの期間に対応して上記記憶媒体に記録される映像音声信号をドライブ回路に出力して光ディスクに記録させ、
上記ＯＳＤ表示制御部は、マイコンによってＣＤ‐ＲまたはＣＤ‐ＲＷの何れかが挿入されていると判別された場合には、ディスプレイ装置に音声信号のみの記録がなされている旨のＯＳＤ表示をさせ、ＤＶＤが挿入されていると判別された場合には、ディスプレイ装置に映像信号および音声信号の記録がなされている旨のＯＳＤ表示をさせ、かつ、各時点における光ディスクへの記録可能な時間の残量をディスプレイ装置に表示させることを特徴とする光ディスク記録装置。
【請求項２】
装置内部に挿入された光ディスクに対して情報を書き込み可能な光ディスク記録装置において、
選局されている放送信号を記録することを指示する記録指示を受け付ける受付手段と、
上記受付手段によって記録指示が受け付けられたときに、装置内部に挿入されている光ディスクの種類を判別する媒体種類判別手段と、
上記媒体種類判別手段によって、情報の書き込み可能なＣＤ媒体が挿入されていると判別された場合には、上記放送信号の映像音声信号に含まれる音声信号のみを上記ＣＤ媒体に記録する書き込み手段とを備えることを特徴とする光ディスク記録装置。
【請求項３】
選局されている放送信号から抽出した映像音声信号を記録可能な記憶媒体であって上記光ディスクとは別の記憶媒体をさらに備え、
上記書き込み手段は、少なくとも上記受付手段が記録の開始を指示する記録開始指示を受け付けてから記録の停止を指示する記録停止指示を受け付けるまでの期間に対応して上記別の記憶媒体に記録される映像音声信号、に含まれる音声信号を記録対象とすることを特徴とする請求項２に記載の光ディスク記録装置。
【請求項４】
上記書き込み手段は、上記受付手段が記録開始指示を受け付けた時点よりも所定時間遡った時点から上記別の記憶媒体に記録された映像音声信号に含まれる音声信号を記録対象とすることを特徴とする請求項３に記載の光ディスク記録装置。
【請求項５】
外部のディスプレイ装置に所定の画像データを出力することにより当該ディスプレイ装置にＯＳＤ表示をさせるＯＳＤ表示制御手段をさらに備え、ＯＳＤ表示制御手段は、上記媒体種類判別手段が、情報の書き込み可能なＣＤ媒体が挿入されていると判別した場合に、上記ディスプレイ装置に、音声信号のみの記録がなされている旨のＯＳＤ表示をさせることを特徴とする請求項２〜請求項４のいずれかに記載の光ディスク記録装置。
【請求項６】
上記ＯＳＤ表示制御手段は、各時点における上記ＣＤ媒体への記録可能な時間の残量を上記ディスプレイ装置に表示させることを特徴とする請求項５に記載の光ディスク記録装置。
【請求項７】
上記書き込み手段は、音声信号を所定の圧縮方式によって圧縮して上記ＣＤ媒体に記録する場合に、圧縮時のサンプリング周波数を外部からの選択操作に基づいて決定することを特徴とする請求項２〜請求項６のいずれかに記載の光ディスク記録装置。
【発明の詳細な説明】
【技術分野】
【０００１】
本発明は、装置内部に挿入された光ディスクに対して情報を書き込み可能な光ディスク記録装置に関する。
【背景技術】
【０００２】
従来技術として、音声のみのＤＶＤへの記録を開始させる機能を持ったディスク装置内蔵テレビジョン受像機が知られている（特許文献１参照。）。
【特許文献１】特開平９‐１６３３０５号公報
【発明の開示】
【発明が解決しようとする課題】
【０００３】
ユーザはテレビジョン放送信号等の視聴を行なっているときに、視聴している音声のみを記録として残したいと望む場合がある。しかし、上述の従来技術では、常にＤＶＤへ音声が記録されており、必ずしもユーザが望む記録媒体に音声が記録されているとは言えなかった。また、ユーザが好む、記録内容と記録媒体との対応関係というものもあり、音声を記録できればどんな記録媒体でもユーザは満足するという訳でもなかった。
【０００４】
本発明は、上記課題にかんがみてなされたもので、ユーザが記録に残しておきたいと思う音声を音声の記録により適した媒体に記録することが可能な光ディスク記録装置を提供することを目的とする。
【課題を解決するための手段】
【０００５】
上記目的を達成するため、光ディスク記録装置は、装置内部に挿入された光ディスクに対して情報を書き込む。受付手段が、選局されている放送信号を記録することを指示する記録指示を受け付けると、媒体判別手段が、装置内部に挿入されている光ディスクの種類を判別する。このとき、情報の書き込み可能なＣＤ媒体が挿入されていると判別された場合には、書き込み手段が、上記放送信号にかかる映像音声信号に含まれる音声信号のみを上記ＣＤ媒体に記録する。
すなわち本発明によれば、視聴対象として選局されている放送信号に含まれる音声信号だけを抽出して記録したＣＤ‐ＲやＣＤ‐ＲＷなど情報の書き込み可能なＣＤ媒体を得ることができる。
【０００６】
光ディスク記録装置は、視聴対象として選局されている放送信号から抽出した映像音声信号を記録可能な記憶媒体であって、上記光ディスクとは別の記憶媒体をさらに備えるとしてもよい。別の記憶媒体は、受信した放送信号から抽出した映像音声信号を一時的に記憶するバッファであってもよいし、何時間・何十時間分もの映像音声信号を保存できる大容量のＨＤＤなどであってもよい。そして書き込み手段は、少なくとも上記受付手段が記録の開始を指示する記録開始指示を受け付けてから記録の停止を指示する記録停止指示を受け付けるまでの期間に対応して上記別の記憶媒体に記録される映像音声信号、に含まれる音声信号を記録対象とする。すなわち、放送信号を視聴しているユーザが記録の開始を指示したときから記録の停止を指示したときまでの期間に対応する音声信号のみをＣＤ媒体に記録できる。その結果、ユーザが望んだ音声のみを記録したＣＤ媒体を手軽に取得できる。
また、放送信号から抽出した映像音声信号を直接にＣＤ媒体に記録するのではなく、一旦別の記憶媒体に貯めてからその中の音声信号のみをＣＤ媒体に記録するため、ＣＤ媒体へのデータの記録が所々で飛んだりすることが防止でき、ＣＤ媒体への安定した音声記録が可能となる。
【０００７】
番組を視聴するユーザが記録の開始を指示した時点では、ユーザが記録したい音声がすでに出力された後であることも考えられる。そこて、書き込み手段は、受付手段が記録開始指示を受け付けた時点よりも所定時間遡った時点から、上記別の記憶媒体に記録された映像音声信号に含まれる音声信号を記録対象とする。本発明の構成によれば、受付手段が記録開始指示を受け付けた時点よりも所定時間（例えば、数秒）遡った時点以降の音声信号を記録するため、ユーザが記録したいと思った音声を確実にＣＤ媒体へ記録することができる。
【０００８】
さらに、光ディスク記録装置は、外部のディスプレイ装置に所定の画像データを出力することにより当該ディスプレイ装置にＯＳＤ表示をさせるＯＳＤ表示制御手段を備えるとしてもよい。この場合、ＯＳＤ表示制御手段は、媒体種類判別手段が情報の書き込み可能なＣＤ媒体が挿入されていると判別した場合に、ディスプレイ装置に音声信号のみの記録がなされている旨のＯＳＤ表示をさせる。かかる構成とすることで、ユーザは、ディスプレイ装置を見るだけで、そのとき光ディスク記録装置に挿入されているディスクの種類がＣＤ媒体であり、かつ音声のみの記録が実行されていることを認識できる。
また、ＯＳＤ表示制御手段は、各時点における上記ＣＤ媒体への記録可能な時間の残量をディスプレイ装置に表示させるとしてもよい。ＣＤ媒体へあとどれぐらいの時間音声を記録できるかを表示すれば、ユーザの音声記録の要否判断の大きな助けとなる。
【０００９】
書き込み手段は、音声信号を所定の圧縮方式によって圧縮してＣＤ媒体に記録するとしてもよい。圧縮方式としては、例えばＭＰ３方式などが考えれる。この場合、圧縮時のサンプリング周波数を外部からの選択操作に基づいて決定するとしもよい。その結果、ユーザが望む圧縮率にて音声を記録することができる。
【００１０】
さらに上述した各構成を踏まえ、内部に挿入された光ディスクに対して情報を書き込み可能なドライブ回路を備える光ディスク記録装置において、選局されているテレビジョン放送信号から抽出した映像音声信号を記録する記憶媒体と、上記選局されているテレビジョン放送信号の記録を指示するための特定の操作ボタンと、上記特定の操作ボタンに対する操作を検知し、当該検知の結果に応じて所定の処理を実行するマイコンと、外部のディスプレイ装置に所定の画像データを出力することにより当該ディスプレイ装置にＯＳＤ表示をさせるＯＳＤ表示制御部とを備え、上記マイコンは、上記特定の操作ボタンの押し下げ動作を検知した場合に、ドライブ回路に挿入されている光ディスクの種類を判別し、ＣＤ‐ＲまたはＣＤ‐ＲＷの何れかが挿入されていると判別した場合には、上記検知の時点よりも所定時間遡った時点から次に上記特定の操作ボタンの押し下げ動作を検知するまでの期間に対応して上記記憶媒体に記録される映像音声信号に含まれる音声信号のみを、所定の圧縮方式によって圧縮した上でドライブ回路に出力して光ディスクに記録させ、ＤＶＤが挿入されていると判別した場合には、上記検知の時点よりも所定時間遡った時点から次に上記特定の操作ボタンの押し下げ動作を検知するまでの期間に対応して上記記憶媒体に記録される映像音声信号をドライブ回路に出力して光ディスクに記録させ、上記ＯＳＤ表示制御部は、マイコンによってＣＤ‐ＲまたはＣＤ‐ＲＷの何れかが挿入されていると判別された場合には、ディスプレイ装置に音声信号のみの記録がなされている旨のＯＳＤ表示をさせ、ＤＶＤが挿入されていると判別された場合には、ディスプレイ装置に映像信号および音声信号の記録がなされている旨のＯＳＤ表示をさせ、かつ、各時点における光ディスクへの記録可能な時間の残量をディスプレイ装置に表示させる構成とすることができる。かかる具体的構成の装置によっても、上述した各光ディスク記録装置と同様の作用および効果を発揮する。
【発明を実施するための最良の形態】
【００１１】
以下では、各図面を参照しながら本発明の実施形態を説明する。
図１は、光ディスク記録装置１００の概略的構成を示すブロック図である。
図において、チューナ部１０は、マイクロコンピュータ（以下では、マイコンと称する）７０から指示されたチャンネルのテレビジョン放送信号を受信するとともに、受信した放送信号から中間周波信号を抽出し、この中間周波信号をＡ／Ｄ変換部２０に出力する。Ａ／Ｄ変換部２０は、チューナ部１０から出力されるアナログ信号をデジタルデータに変換し、録再信号処理部３０に出力する。当該デジタルデータには、デジタル映像信号およびデジタル音声信号が含まれている。Ｄ／Ａ変換部４０は、録再信号処理部３０より出力されるデジタル映像信号をアナログ映像信号に、デジタル音声信号をアナログ音声信号に夫々変換し、外部に設けられたスピーカ内蔵のディスプレイ装置１９に出力する。
【００１２】
録再信号処理部３０には記憶媒体としてのバッファ１４とＨＤＤ（ハードディスクドライブ）１５が接続されている。本実施形態では、Ａ／Ｄ変換部２０から出力されたデジタルデータを、ディスクドライブ部５０に挿入されている光ディスク１１とＨＤＤ１５とのいずれにも記録可能である。ディスクドライブ部５０は、複数種類の光ディスクの規格に対応しており、本実施形態では特に、ＤＶＤ、ＣＤ‐Ｒ、ＣＤ‐ＲＷの各規格の光ディスクに対して情報の書き込みおよび読み出しが可能なドライブである。
【００１３】
本実施形態では、光ディスク記録装置１００はバッファ有効モードという特定のモードを備えている。このバッファ有効モードが選択されている場合には、光ディスク記録装置１００は、ユーザが選択したあるチャンネルの放送信号から、チューナ部１０、Ａ／Ｄ変換部２０、録再信号処理部３０を介して取得したデジタルデータをバッファ１４の記憶領域に書き込む処理を継続的に行なう。バッファ１４は、一定期間分（例えば、数秒）の放送信号にかかるデジタルデータを記録可能な容量であるため、バッファ１４には最新の数秒分の映像と音声に対応するデジタルデータが上書されていることになる。
【００１４】
録再信号処理部３０はマイコン７０から、光ディスク１１への情報の書き込みを命じられた場合には、Ａ／Ｄ変換部２０から出力されたデジタルデータ（バッファ有効モードが設定されている場合は、バッファ１４に記録されているデジタルデータ）をディスクドライブ部５０に出力する。ディスクドライブ部５０では、この出力されたデジタルデータを、内部に挿入した光ディスク１１に記録する。一方、録再信号処理部３０はマイコン７０から、ＨＤＤ１５への情報の書き込みを命じられた場合には、Ａ／Ｄ変換部２０から出力されたデジタルデータをＨＤＤ１５に記録する。
【００１５】
ディスクドライブ部５０は、マイコン７０から光ディスク１１の再生を命じられた場合には、光ディスク１１に記録されたデータを読み出し、復調とエラー訂正等の処理を行って得られた圧縮映像信号および又は圧縮音声信号を録再信号処理部３０に出力する。また、ＨＤＤ１５は、情報の読み出しをマイコン７０から命じられた場合には、命令にかかる情報を読み出し、復調とエラー訂正等の処理を行って得られた圧縮映像信号および又は圧縮音声信号を録再信号処理部３０に出力する。
録再信号処理部３０は、ディスクドライブ部５０またはＨＤＤ１５より出力される圧縮映像信号および又は圧縮音声信号を所定の伸長方式に従って伸長処理する。そして、伸長処理により得られたデジタル映像信号および又はデジタル音声信号を、Ｄ／Ａ変換部４０に出力する。
【００１６】
また録再信号処理部３０は、オンスクリーンディスプレイ制御部（以下では、ＯＳＤ部と称する）１３を備えており、ＯＳＤ部１３はマイコン７０から指示された文字や記号等を示す画像データを生成し、録再信号処理部３０からＤ／Ａ変換部４０に出力されるデジタル映像信号に重畳する。その結果、ディスプレイ装置１９には上記文字や記号等が表示される。
【００１７】
入力回路部８０は、光ディスク記録装置１００の本体表面に設けられた各種操作ボタンや、リモートコントローラ（以下では、リモコンと称する）９０から送信される赤外線信号を受光する受光ユニット等を備えており、ユーザの操作による指示が入力されると、入力された指示をマイコン７０に出力する。本実施形態では、光ディスク記録装置１００の本体表面およびリモコン９０には、同じ機能を持つ特定の記録指示ボタン（以下では、ｒｅｃボタンと称する）が備えられている。マイコン７０は、上記操作ボタンやリモコン９０等に入力されたユーザの指示に従い、チューナ部１０が受信するチャンネルを制御するなど、光ディスク記録装置１００各部の制御を行なう。
【００１８】
上記のような基本構成のもと、マイコン７０の制御によって実行される光ディスク１１への情報記録処理について説明する。
図２は、光ディスク１１への情報記録処理であって第１の実施例にかかるフローチャートを示している。
第１の実施例においては、光ディスク記録装置１００は、ユーザが選局したあるチャンネル（視聴対象チャンネル）を対象としたバッファ有効モードに設定されているものとする。また、第１の実施例の前提として、テレビジョンである上記ディスプレイ装置１９は、視聴対象チャンネルのテレビジョン放送信号を受信して映像と音声を出力しているものとし、ユーザはこの放送を視聴しながら光ディスク記録装置１００に対する操作を行なうものとする。
【００１９】
ステップＳ２００（以下では、ステップの記載を省略する。）では、マイコン７０は、ｒｅｃボタンの押し下げ動作を検知したか否か判断し、検知した場合にＳ２０５以下の処理に進む。
Ｓ２０５では、マイコン７０は、ディスクドライブ部５０に現在挿入されている光ディスク１１の規格（種類）を検出し、情報を書き込み可能なＣＤ媒体であるか否か判断する。ここで言う情報を書き込み可能なＣＤ媒体とは、ＣＤ‐ＲとＣＤ‐ＲＷの何れかである。光ディスク１１の規格はディスクの内周側の所定のトラックにディスク情報として記録されているため、ディスクドライブ部５０はこのディスク情報をそのとき挿入されている光ディスク１１から読み取り、読み取り結果をマイコン７０に通知する。
【００２０】
マイコン７０は、上記読み取り結果から、現在挿入されている光ディスク１１の規格がＣＤ‐ＲとＣＤ‐ＲＷのいずれかであると判断した場合にはＳ２１０に進み、一方、光ディスク１１の規格がＣＤ‐ＲとＣＤ‐ＲＷのいずれでもない場合、つまりＤＶＤであると判断した場合にはＳ２３０に進む。ただし、ディスクドライブ部５０に何も挿入されていない場合や、ＣＤ‐Ｒ、ＣＤ‐ＲＷ、ＤＶＤのいずれでもない別のメディアが挿入されている場合は、マイコン７０は光ディスク記録装置１００の筺体表面に設けた所定の表示パネル（不図示）などに警告表示を行ない、処理を中断してもよい。
【００２１】
Ｓ２１０では、マイコン７０は録再信号処理部３０に、バッファ１４に記録されているデジタルデータからデジタル音声信号を分離し分離したデジタル音声信号のみを抽出する処理をさせる。上述したようにバッファ１４には、チューナ部１０を介して受信される放送信号にかかるデジタルデータが一定期間分記録されている。そのため、バッファ１４に記録されているデジタル音声信号を読み出すことにより、Ｓ２００においてマイコン７０がｒｅｃボタンの押し下げを検知した時点よりもある程度の時間が遡った時点の放送信号に対応するデジタル音声信号を読み出すことができる。
【００２２】
Ｓ２１５では、マイコン７０は録再信号処理部３０に、上記のように読み出したデジタル音声信号を所定の圧縮方式にて圧縮させる。デジタル音声信号の圧縮方式は特に限定されないが、一つの代表的な方式としてＭＰ３方式の圧縮処理を行なう。
Ｓ２２０では、マイコン７０は、録再信号処理部３０に上記圧縮後のデジタル音声信号をディスクドライブ部５０に出力させ、ディスクドライブ部５０に、光ディスク１１（ＣＤ‐ＲまたはＣＤ‐ＲＷ）に上記圧縮後のデジタル音声信号を記録させる。
【００２３】
Ｓ２２５では、マイコン７０は、上記Ｓ２００でｒｅｃボタンの押し下げを検知した後に再度ｒｅｃボタンの押し下げを検知したか否か判断する。再度のｒｅｃボタンの押し下げを検知したということは、ユーザが視聴中の番組において音声として記録したいと望む場面が終了したということであるから、Ｓ２５０へ進み、光ディスク１１への音声記録処理を終える。一方、Ｓ２２５において“Ｎｏ”の判断をした場合には、Ｓ２１０に戻って、デジタル音声信号の光ディスク１１への記録処理を継続する。
【００２４】
一方、Ｓ２３０では、マイコン７０は録再信号処理部３０を制御して、上記バッファ１４に記録されているデジタルデータを読み出させる。つまり、光ディスク１１がＤＶＤである場合には、映像と音声の両方を記録すべく、デジタル映像信号とデジタル音声信号とを含む上記デジタルデータをバッファ１４から取得する。
Ｓ２３５では、マイコン７０は録再信号処理部３０に、デジタル映像信号とデジタル音声信号とをそれぞれ所定の圧縮方式にて圧縮させる。
Ｓ２４０では、マイコン７０は、録再信号処理部３０に上記圧縮後のデジタル映像信号およびデジタル音声信号をディスクドライブ部５０に出力させ、ディスクドライブ部５０に、光ディスク１１（ＤＶＤ）に上記圧縮後のデジタル映像信号およびデジタル音声信号を記録させる。
【００２５】
Ｓ２４５では、マイコン７０は、上記Ｓ２００でｒｅｃボタンの押し下げを検知した後に再度ｒｅｃボタンの押し下げを検知したか否か判断し、再度のｒｅｃボタンの押し下げを検知したと判断した場合にはＳ２５０へ進み、光ディスク１１への記録処理を終了する。一方、Ｓ２４５において“Ｎｏ”の判断をした場合には、Ｓ２３０に戻って、デジタル映像信号およびデジタル音声信号の光ディスク１１への記録処理を継続する。
【００２６】
Ｓ２５０では、マイコン７０は、ディスクドライブ部５０に、光ディスク１１における記録データの開始位置や終了位置を示したセッション情報を光ディスク１１に書き込ませた上で当該フローチャートを終了する。
第１の実施例においては、ｒｅｃボタンが特定の操作ボタンに該当し、かつ、ｒｅｃボタンの押し下げ動作が記録指示、記録開始指示および記録停止指示に該当する。
なお、視聴している番組の音声だけを記録したＣＤ媒体を取得するという目的に鑑みれば、Ｓ２３０〜Ｓ２４５の処理は必須ではなく、Ｓ２０５の判断において“Ｎｏ”である場合には当該フローチャートを終了するとしてもよい。
【００２７】
このように第１の実施例によれば、ユーザが一度ｒｅｃボタンを押して再度ｒｅｃボタンを押すまでの期間に視聴対象チャンネルにおいて放送される番組のシーンに対応する音声のみを、ＣＤ‐Ｒ又はＣＤ‐ＲＷに確実に記録することができる。また、音声記録を開始すべくユーザがｒｅｃボタンを押した時点よりもある程度の時間分遡った時点以降に放送された音声をＣＤ媒体へ記録できる。そのため、テレビジョン放送を視聴するユーザがそのとき聞いた音声を記録したいと感じた瞬間から実際にｒｅｃボタンを押すまでの間に放送されてしまった音声も、自動的に記録されることとなり、ユーザにとって非常に満足のいく記録内容となったＣＤ媒体を得ることができる。
なお、書き込み可能なＣＤ媒体にデジタル音声信号を圧縮して記録する際の圧縮率や圧縮方式の設定は、ユーザによって選択可能である。また、ＭＰ３方式でデジタル音声信号を圧縮する際には、サンプリング周波数をユーザが選択することもできる。
【００２８】
次に、第２の実施例を説明する。
図３，４は、光ディスク１１への情報記録処理であって第２の実施例にかかるフローチャートを示している。第１の実施例では、放送信号の視聴とその放送信号にかかる音声のＣＤ媒体への記録処理は、ほぼ並行して行なっていた。一方、第２の実施例では、視聴対象チャンネルの放送信号にかかる映像および音声をＨＤＤ１５に記録しながら何れのシーンの音声を光ディスク１１に記録にするかをユーザに選択させ、当該選択の後に、選択されたシーンの音声を光ディスク１１に記録する。第２の実施例も第１の実施例と同様に、テレビジョンであるディスプレイ装置１９では、視聴対象チャンネルのテレビジョン放送信号が受信されているものとし、ユーザはこの放送を視聴しながら光ディスク記録装置１００に対する操作を行なう。
【００２９】
Ｓ３００では、マイコン７０は、ＨＤＤ１５への記録指示を検知したか否か判断し、検知した場合にＳ３０５以下の処理に進む。ＨＤＤ１５への記録指示とは、あるチャンネルの放送をＨＤＤ１５に録画させるための指示であり、光ディスク記録装置１００の本体表面やリモコン９０に備えられたＨＤＤ１５への記録指示用の操作ボタンをユーザが押し下げすることで、マイコン７０は当該指示を検知する。
当該記録指示を検知した以降は、光ディスク記録装置１００はマイコン７０の制御に基づいて、上記視聴対象チャンネルの放送を受信し、当該放送信号から抽出したデジタルデータをＨＤＤ１５に記録する処理を実行する。
【００３０】
Ｓ３０５では、マイコン７０は、スタートキーの押し下げを検知したか否か判断する。スタートキーとは、放送のシーン内における光ディスク１１への記録開始位置を指示するための操作ボタンであり、光ディスク記録装置１００の本体表面やリモコン９０に備えられている。
Ｓ３０５の判断において“Ｙｅｓ”である場合には、Ｓ３１０においてマイコン７０は、スタートキーの押し下げを検知した時点より所定時間（例えば数秒）遡った時にＨＤＤ１５に記録された一まとまりの画像（例えば、１フレーム分の画像）に対応するデジタルデータに対して、記録開始位置を示すフラグを設定する。一方、Ｓ３０５の判断において“Ｎｏ”である場合には、Ｓ３１０の処理をスキップする。
【００３１】
Ｓ３１５では、マイコン７０は、ｒｅｃボタンの押し下げ動作を検知したか否か判断する。第２の実施例では、マイコン７０はｒｅｃボタンの押し下げを検知した場合、ＨＤＤ１５に記録済みのデジタルデータであってそれまでに設定された記録開始位置を示すフラグと記録停止位置を示すフラグとに挟まれた期間に対応するデジタルデータを対象とした、光ディスク１１への記録処理を開始する。ｒｅｃボタンの押し下げ動作を検知した後の処理（Ｓ３３５以降の処理）については後述する。
【００３２】
Ｓ３２０では、マイコン７０は、ストップキーの押し下げを検知したか否か判断する。ストップキーとは、放送のシーン内における光ディスク１１への記録停止位置を指示するための操作ボタンであり、光ディスク記録装置１００の本体表面やリモコン９０に備えられている。
Ｓ３２０の判断において“Ｙｅｓ”である場合には、Ｓ３２５においてマイコン７０は、ストップキーの押し下げを検知した時点より所定時間（例えば数秒）後にＨＤＤ１５に記録した一まとまりの画像（例えば、１フレーム分の画像）に対応するデジタルデータに対して、記録停止位置を示すフラグを設定する。
【００３３】
Ｓ３３０ではＳ３１５と同様に、マイコン７０は、ｒｅｃボタンの押し下げ動作を検知したか否か判断する。マイコン７０は、ｒｅｃボタンの押し下げ動作を検知しない間は、Ｓ３０５〜Ｓ３３０の処理を繰り返す。この結果、ユーザによる視聴対象チャンネルの放送の視聴と並行してＨＤＤ１５に継続的に記録された視聴対象チャンネルの放送にかかるデジタルデータにおいては、所々に記録開始位置を示すフラグと記録停止位置を示すフラグとによって挟まれたデータ区間が生じうる。
【００３４】
なお、ユーザがスタートキーとストップキーの両方或いは一方について押し下げを一度も行なわないうちに、ｒｅｃボタンを押した場合には、記録開始位置を示すフラグと記録停止位置を示すフラグとによって挟まれたデータ区間は生じない。したがって、スタートキーとストップキーの両方或いは一方について押し下げ動作を一度検知しないうちにｒｅｃボタンの押し下げ動作を検知した場合には、マイコン７０は、後述の図４の処理に進むことなく当該フローチャートを終了させる。
【００３５】
図４の説明に移る。
Ｓ３３５では、図２のＳ２０５と同様に、マイコン７０は、ディスクドライブ部５０に現在挿入されている光ディスク１１の規格（種類）を検出し、情報を書き込み可能なＣＤ媒体であるか否か判断する。情報を書き込み可能なＣＤ媒体が挿入されている場合には、Ｓ３４０に進む。
【００３６】
Ｓ３４０では、マイコン７０は録再信号処理部３０に、ＨＤＤ１５に記録されているデジタルデータであって記録開始位置を示すフラグと記録停止位置を示すフラグとによって挟まれたデータ区間のデジタルデータから、デジタル音声信号のみを抽出する処理を実行させる。記録開始位置を示すフラグと記録停止位置を示すフラグとの組み合わせが複数組ある場合には、各組によって挟まれたデータ区間からそれぞれデジタル音声信号を抽出する。Ｓ３４５では、マイコン７０は録再信号処理部３０に、上記のように読み出したデジタル音声信号を所定の圧縮方式にて圧縮させ、Ｓ３５０では、マイコン７０は、録再信号処理部３０に上記圧縮後のデジタル音声信号をディスクドライブ部５０に出力させ、ディスクドライブ部５０に、光ディスク１１（ＣＤ‐ＲまたはＣＤ‐ＲＷ）に上記圧縮後のデジタル音声信号を記録させる。つまり、光ディスク１１がＣＤ‐ＲまたはＣＤ‐ＲＷである場合には音声のみを記録する。
【００３７】
一方、光ディスク１１の規格がＣＤ‐ＲとＣＤ‐ＲＷのいずれでもない場合、つまりＤＶＤであると判断した場合にはＳ３５５に進む。Ｓ３５５では、マイコン７０は録再信号処理部３０を制御して、ＨＤＤ１５に記録されているデジタルデータであって記録開始位置を示すフラグと記録停止位置を示すフラグとによって挟まれたデータ区間のデジタルデータを読み出させる。Ｓ３６０では、マイコン７０は録再信号処理部３０に、デジタルデータデジタルに含まれデジタル映像信号とデジタル音声信号とをそれぞれ所定の圧縮方式にて圧縮させ、Ｓ３６５では、マイコン７０は、録再信号処理部３０に上記圧縮後のデジタル映像信号およびデジタル音声信号をディスクドライブ部５０に出力させ、ディスクドライブ部５０に、光ディスク１１（ＤＶＤ）に上記圧縮後のデジタル映像信号およびデジタル音声信号を記録させる。つまり、光ディスク１１がＤＶＤである場合には、映像と音声の両方を記録する。
【００３８】
Ｓ３７０では、マイコン７０は、ディスクドライブ部５０に、光ディスク１１における記録データの開始位置や終了位置を示したセッション情報を光ディスク１１に書き込ませた上で当該フローチャートを終了する。なお、視聴対象チャンネルの放送のＨＤＤ１５への記録処理自体は、この処理に対するユーザの停止指示等があるまで続く。
なお、ディスクドライブ部５０は、Ｓ３５０やＳ３６５での光ディスク１１に対する記録処理を、初期設定されている通常の記録速度によって行なってもよいし、４倍速などの高速な記録モードによって行なっても良い。
【００３９】
このように第２の実施例によれば、ユーザは所望のチャンネルの放送の視聴と当該放送のＨＤＤ１５への記録とを同時に行いながら、スタートキーとストップキーとを所望のタイミングで押し下げすることにより、視聴中のシーンのうち特に音声をＣＤ媒体として残しておきたいシーンを自由に選択することができ、この選択したシーンに対応する音声のみをＣＤ‐Ｒ又はＣＤ‐ＲＷに確実に記録することができる。また、第１の実施例と同様に、音声記録を開始すべくユーザがスタートキーを押した時点よりもある程度の時間分遡った時点以降に放送された音声をＣＤ媒体へ記録できるため、ユーザは非常に満足のいく記録内容となったＣＤ媒体を得ることができる。
【００４０】
第２の実施例では、スタートキーの押し下げ動作が記録開始指示に該当し、ストップキーの押し下げ動作が記録停止指示に該当し、ｒｅｃボタンの押し下げ動作が記録指示に該当する。また、視聴している番組の音声だけを記録したＣＤ媒体を取得するという目的に鑑みれば、Ｓ３５５〜Ｓ３６５の処理は必須ではなく、Ｓ３５５の判断において“Ｎｏ”である場合には当該フローチャートを終了するとしてもよい。
【００４１】
第１，２の実施例を行なう際、光ディスク記録装置１００はＯＳＤ部１３を用いることにより、ディスプレイ装置１９に種々の表示を行なうことができる。
例えば、マイコン７０は、Ｓ２０５（Ｓ３３５）において、情報を書き込み可能なＣＤ媒体を検知した場合にはＯＳＤ部１３に指令を出し、ＯＳＤ部１３に、Ｓ２５０（Ｓ３７０）の処理が終わるまでの間、ディスプレイ装置１９の画面に「音声記録中」（図１参照）或いは「音声のみ記録中」といったＯＳＤ表示をさせるとしてもよい。むろん、Ｓ２０５（Ｓ３３５）において、ＤＶＤを検知した場合には、ＯＳＤ部１３に、Ｓ２５０（Ｓ３７０）の処理が終わるまでの間、ディスプレイ装置１９の画面に「映像音声記録中」といったＯＳＤ表示をさせるとしてもよい。かかる表示を行なうことで、ユーザは、ＣＤ‐ＲまたはＣＤ‐ＲＷに対する音声のみの記録処理が行なわれていること等を、容易に認識できる。また、ＣＤ‐Ｒ、ＣＤ‐ＲＷなどのＣＤ媒体とＤＶＤは見た目では区別しづらいため、光ディスク記録装置１００にＣＤ媒体を入れたつもりでも実はＤＶＤを入れてしまっていたというような場合に、上記表示を行なうことでユーザはメディアの入れ間違いを認識できる。
【００４２】
さらに、マイコン７０は、Ｓ２１０〜Ｓ２２５の処理やＳ２３０〜２４５の処理を行なっている最中においては、各時点における光ディスク１１への記録可能な残り時間をその時点での光ディスク１１の残りの記録容量から計算してＯＳＤ部１３に通知することにより、ディスプレイ装置１９の画面にこの残り時間をＯＳＤ表示をさせるとしてもよい。かかる表示を行なうことで、ユーザはあとどれぐらい記録処理を継続できるかを容易に認識できる。
【００４３】
さらに、マイコン７０は、図３の処理においてｒｅｃボタンの押し下げを検知した（Ｓ３１５またはＳ３３０）後には、上記ＨＤＤ１５に記録されたデジタルデータに対して設定済みの記録開始位置を示すフラグと記録停止位置を示すフラグとによって挟まれたデータ区間のデジタルデータ（デジタル音声信号）を全て光ディスク１１に記録するために要する時間を計算し、この計算した時間を、ＯＳＤ部１３によってディスプレイ装置１９の画面に表示をさせるとしてもよい。かかる表示を行なうことで、ユーザは、光ディスク１１への記録処理がどのぐらいの時間で終了するかを容易に知ることができる。
【図面の簡単な説明】
【００４４】
【図１】光ディスク記録装置の概略構成を示したブロック図。
【図２】第１の実施例の内容を示したフローチャート。
【図３】第２の実施例の内容の一部を示したフローチャート。
【図４】第２の実施例の内容の一部を示したフローチャート。
【符号の説明】
【００４５】
１０…チューナ部
１１…光ディスク
１３…ＯＳＤ部
１４…バッファ
１５…ＨＤＤ
１９…ディスプレイ装置
３０…録再信号処理部
５０…ディスクドライブ部
７０…マイクロコンピュータ
１００…光ディスク記録装置
【図１】
2008117484.tif 000003
【図２】
2008117484.tif 000004
【図３】
2008117484.tif 000005
【図４】
2008117484.tif 000006